(57)【特許請求の範囲】
【請求項１】
外部機器に供給する電力を発電する発電部と、前記発電部によって発電された電力の発電方法を識別するための発電方法識別子を、前記外部機器に送信する発電方法識別子送信部とを有し、前記外部機器において、供給を受けた電力と前記発電方法識別子によって識別される発電方法とを、前記外部機器の使用者に提示するようにしたことを特徴とする発電装置。
【請求項２】
外部機器に供給する電力を発電する発電部と、前記発電部によって発電された電力を、他の電力と共に蓄積する蓄電池と、前記蓄電池に蓄積されている電力について、その電力の発電方法を識別するための発電方法識別子と対応付けて管理する管理部と、前記管理部において管理されている発電方法識別子を、前記外部機器に送信する発電方法識別子送信部とを有し、前記外部機器において、供給を受けた電力と前記発電方法識別子によって識別される発電方法とを、前記外部機器の使用者に提示するようにしたことを特徴とする発電装置。
【請求項３】
発電装置から供給される電力の発電方法を識別するための発電方法識別子を、前記発電装置から受信する発電方法識別子受信部と、前記発電装置から供給を受けた電力と前記発電方法識別子受信部によって受信された前記発電方法識別子によって識別される発電方法とを対応付けて提示する提示部とを含むことを特徴とするポータブルデバイス。
【請求項４】
請求項１又は２に記載の発電装置と、
前記発電装置から供給される電力の発電方法を識別するための発電方法識別子を、前記発電装置から受信する発電方法識別子受信部と、前記発電装置から供給を受けた電力と前記発電方法識別子受信部によって受信された前記発電方法識別子によって識別される発電方法とを対応付けて提示する提示部とを有するポータブルデバイスと、
を含むことを特徴とする発電方法識別システム。
【請求項５】
外部機器に供給する電力を発電する発電ステップと、前記発電部によって発電された電力の発電方法を識別するための発電方法識別子を、前記外部機器に送信する送信ステップと、前記外部機器において、供給を受けた電力と前記発電方法識別子によって識別される発電方法とを、前記外部機器の使用者に提示する提示ステップとを含むことを特徴とする発電方法識別方法。
【請求項６】
請求項５において、前記発電部によって発電された電力を、他の電力と共に蓄積する蓄電池に蓄積されている電力について、その電力の発電方法を識別するための発電方法識別子と対応付けて管理する管理ステップをさらに含み、
前記送信ステップにおいては、前記管理ステップにおいて管理されている発電方法識別子を、前記外部機器に送信することを特徴とする発電方法識別方法。
【発明の詳細な説明】
【技術分野】
【０００１】
本発明は発電装置、ポータブルデバイス、発電方法識別システム、発電方法識別方法に関し、特に蓄電池を持つ装置とこの蓄電池へ電力を供給する給電装置または発電装置（以下、発電装置と呼ぶ）とから構成されるシステムにおける電力の識別方法技術に関するものである。
【背景技術】
【０００２】
近年のエコ意識の高まりにより、携帯電話機やノートＰＣなどのポータブルデバイス向けの太陽光発電装置や手回し発電装置などが販売されている。例えば、株式会社StrapyaNext社から販売されている“ソーラーチャージecoストラップ”は、携帯電話機向けの太陽光発電が可能な補助充電装置である（非特許文献１参照）。
また、株式会社ＮＴＴドコモ社から販売されている“ＦＯＭＡ ecoソーラーパネル０１”は、太陽光発電を利用した充電器である（非特許文献２参照）。さらに、株式会社ＫＤＤＩ社から販売されている“SOLAR PHONE SH007”は、携帯電話機そのものにソーラーパネルを搭載し、太陽光発電による充電を行える携帯電話機である（非特許文献３参照）。この“SOLAR PHONE SH007”については、太陽光発電で充電された充電量をポイントとして表示することが可能である。
【０００３】
ところで、特許文献１では、太陽電池モジュールの識別情報を送信し、それを受信した装置において交流電力の出力を管理している。
また、特許文献２では、カートリッジバッテリが識別子を有しており、識別子にはカートリッジバッテリの利用（充電回数、充電間隔、充電時間など）の履歴に関する情報が含まれている。
【先行技術文献】
【特許文献】
【０００４】
【特許文献１】特開２００９−６４８０９号公報
【特許文献２】特開２０１０−１０８８３３号公報
【非特許文献】
【０００５】
【非特許文献１】“世界初！太陽光で充電ソーラーチャージeco”、ストラップヤ、［online］、［平成２２年９月２４日検索］、インターネット＜URL：http://www.strapya.com/categories/12_45_4043.html＞
【非特許文献２】“ソーラー充電器「ＦＯＭＡ  ｅｃｏソーラーパネル 01」を開発”、ＮＴＴドコモ、［online］、［平成２２年９月２４日検索］、インターネット＜URL：http://www.nttdocomo.co.jp/info/news_release/2010/05/13_01.html＞
【非特許文献３】製品ラインアップ“ＳＯＬＡＲ  ＰＨＯＮＥ  ＳＨ００７”、ａｕ  ｂｙ  ＫＤＤＩ、［online］、［平成２２年９月２４日検索］、インターネット＜URL：http://www.au.kddi.com/seihin/ichiran/kishu/sh007/index.html＞
【発明の概要】
【発明が解決しようとする課題】
【０００６】
ポータブルデバイス向けのクリーンな発電装置は発売され、利用できる状態にある。しかしながら、発電装置よりポータブルデバイスへ給電を行った際に、そのエネルギーがクリーンなエネルギーか否かを認識する方法は存在しない。そこで、ユーザが現在使用しているポータブルデバイスの蓄電電力量のうち、クリーンなエネルギー起因のものである電力の量を、ポータブルデバイスの使用者であるユーザに提示し、その電力量をユーザに意識させれば、エコ意識の醸成に繋がると考えられる。特許文献１では、太陽電池モジュールの通算使用時間を管理する目的で、識別情報を授受しているにすぎず、上記の課題を解決することはできない。
【０００７】
本発明は上述した従来技術の問題を解決するためになされたものであり、その目的は、ポータブルデバイスまたは、ポータブルデバイスへ給電を行う充電池上にて、クリーンなエネルギー起因で蓄電されている電力量を確認することのできる発電装置、ポータブルデバイス、発電方法識別システム、発電方法識別方法を提供することである。
【課題を解決するための手段】
【０００８】
本発明の一態様による発電装置は、外部機器に供給する電力を発電する発電部と、前記発電部によって発電された電力の発電方法を識別するための発電方法識別子を、前記外部機器に送信する発電方法識別子送信部とを有し、前記外部機器において、供給を受けた電力と前記発電方法識別子によって識別される発電方法とを、前記外部機器の使用者に提示するようにしたことを特徴とする。この構成によれば、ポータブルデバイスへ給電された電力が、クリーンなエネルギー起因の電力なのか否かを、使用者に提示することができる。
【０００９】
本発明による他の態様による発電装置は、外部機器に供給する電力を発電する発電部と、前記発電部によって発電された電力を、他の電力と共に蓄積する蓄電池と、前記蓄電池に蓄積されている電力について、その電力の発電方法を識別するための発電方法識別子と対応付けて管理する管理部と、前記管理部において管理されている発電方法識別子を、前記外部機器に送信する発電方法識別子送信部とを有し、前記外部機器において、供給を受けた電力と前記発電方法識別子によって識別される発電方法とを、前記外部機器の使用者に提示するようにしたことを特徴とする。この構成によれば、発電装置に蓄電池が設けられている場合でも、その蓄電池に蓄積されている電力の発電方法について識別し、それを使用者に提示することができる。
【００１０】
本発明の一態様によるポータブルデバイスは、発電装置から供給される電力の発電方法を識別するための発電方法識別子を、前記発電装置から受信する発電方法識別子受信部と、前記発電装置から供給を受けた電力と前記発電方法識別子受信部によって受信された前記発電方法識別子によって識別される発電方法とを対応付けて提示する提示部とを含むことを特徴とする。この構成によれば、ポータブルデバイスへ給電された電力が、クリーンなエネルギー起因の電力なのか否かを、使用者に提示することができる。
【００１１】
本発明の一態様による発電方法識別システムは、上記発電装置と、
前記発電装置から供給される電力の発電方法を識別するための発電方法識別子を、前記発電装置から受信する発電方法識別子受信部と、前記発電装置から供給を受けた電力と前記発電方法識別子受信部によって受信された前記発電方法識別子によって識別される発電方法とを対応付けて提示する提示部とを有するポータブルデバイスと、
を含むことを特徴とする。この構成によれば、ポータブルデバイスへ給電された電力が、クリーンなエネルギー起因の電力なのか否かを、使用者に提示することができる。
【００１２】
本発明の一態様による発電方法識別方法は、外部機器に供給する電力を発電する発電ステップと、前記発電部によって発電された電力の発電方法を識別するための発電方法識別子を、前記外部機器に送信する送信ステップと、前記外部機器において、供給を受けた電力と前記発電方法識別子によって識別される発電方法とを、前記外部機器の使用者に提示する提示ステップとを含むことを特徴とする。このようにすれば、ポータブルデバイスへ給電された電力が、クリーンなエネルギー起因の電力なのか否かを、使用者に提示することができる。
【００１３】
また、前記発電部によって発電された電力を、他の電力と共に蓄積する蓄電池に蓄積されている電力について、その電力の発電方法を識別するための発電方法識別子と対応付けて管理する管理ステップをさらに含み、
前記送信ステップにおいては、前記管理ステップにおいて管理されている発電方法識別子を、前記外部機器に送信するようにしてもよい。このようにすれば、発電装置に蓄電池が設けられている場合でも、その蓄電池に蓄積されている電力の発電方法について識別し、それを使用者に提示することができる。
【発明の効果】
【００１４】
本発明によれば、ポータブルデバイスへ給電された電力が、クリーンなエネルギー起因の電力なのか否かを、ポータブルデバイスのユーザが認識することが可能となり、ユーザのエコ意識の醸成に繋がる効果が期待できる。
【図面の簡単な説明】
【００１５】
【図１】本発明の第一の実施形態に係る発電装置及びポータブルデバイスの構成図である。
【図２】本発明の第一の実施形態に係る発電装置及びポータブルデバイスの接続の例を示す図である。
【図３】電源コンセントから発電方法識別子を持たないＡＣアダプタを介してポータブルデバイスに給電が行われる場合について示した図である。
【図４】電力量管理部における電力管理方法の概要図である。
【図５】ポータブルデバイス上の電力残量メータを示した図である。
【図６Ａ】電力残量をユーザに提示する手段の例を示した図である。
【図６Ｂ】電力残量をユーザに提示する手段の例を示した図である。
【図６Ｃ】電力残量をユーザに提示する手段の例を示した図である。
【図７】本発明の第二の実施形態に係る発電装置及びポータブルデバイスの構成図である。
【図８】本発明の第二の実施形態に係るＡＣアダプタ及びポータブルデバイスの構成図である。
【図９】本発明の第二の実施形態に係る発電方法識別子内に記述される情報を示した図である。
【図１０】本発明の第二の実施形態に係る発電方法識別子に記述されている情報の変化について示した図である。
【発明を実施するための形態】
【００１６】
以下、本発明の実施の形態を、図面を参照して説明する。なお、以下の説明において参照する各図では、他の図と同等部分は同一符号によって示されている。
（発明の概要）
ポータブルデバイスに搭載されたディスプレイ上の蓄電池の電力残量表示上に、太陽光発電装置などのクリーンなエネルギーにより給電された電力なのか、または、商用の電源コンセントからＡＣアダプタを介して給電された電力なのかを表示する。これにより、ポータブルデバイス内の蓄電池の電力残量のうち、クリーンなエネルギー起因の電力がどれほど残っているのかを表示可能となる。
【００１７】
太陽光発電装置や、手回し発電装置などのクリーンなエネルギーによる発電装置は、自身がクリーンな発電装置であることを識別するための発電方法識別子を持つ。発電装置は、発電方法識別子記憶部、発電方法識別子送受信部を有する。
発電装置より給電される蓄電池を持つポータブルデバイスは、発電方法識別子記憶部、発電方法識別子受信部、発電方法識別子認識部、蓄電池の電力残量を管理する管理部、表示部を有する。
【００１８】
ポータブルデバイスは、発電装置と接続された際に、クリーン発電識別子を認識し、クリーン発電識別子を持つ発電装置より給電されているか否かを認識する。これにより、ポータブルデバイスは、クリーン発電識別子を持つ発電装置より給電されている際に給電された電力量を計測し、蓄電池の電力残量のうち、クリーンなエネルギー起因の電力残量と、それ以外の電力残量とを管理することが可能となる。ポータブルデバイスの表示部の画面に、電池残量メータとして、クリーンなエネルギー起因の電力残量が、全電力残量のうちどれほどなのかを表示させる。
【００１９】
（第一の実施形態）
第一の実施形態は、発電装置が蓄電池を持たない場合である。以下、本実施形態による発電方法識別システムについて、図面を用いて詳細に説明する。
（発電方法識別システムの構成）
図１は、本発明の第一の実施形態に係る発電方法識別システムの構成例を示す図である。同図を参照すると、本例の発電方法識別システムは、携帯電話機などのポータブルデバイス１と、このポータブルデバイス１に電力を供給する発電装置２と、から構成されている。
【００２０】
発電装置２は、太陽光パネルやモータの逆起電力を利用した手回し発電機などの、発電を行う発電部２１と、発電部２１にて得られた電力を外部機器へと給電する電源端子２２と、自身の装置の発電方法を識別可能な発電方法識別子を記憶する発電方法識別子記憶部２３と、発電方法識別子について外部機器と送信を行う発電方法識別子送受信部２４と、発電方法識別子の送信を行う制御信号端子２５とを有する。
【００２１】
ポータブルデバイス１は、外部機器に接続されて給電を受けるための電源端子１１と、発電方法識別子を受信するための制御信号端子１２と、接続されている発電装置２から通知される発電方法識別子を受信する発電方法識別子受信部１３と、接続されている発電装置２の発電方法識別子を識別する発電方法識別子識別部１４と、発電方法識別子を記憶する発電方法識別子記憶部１５と、ポータブルデバイス１に供給する電力を蓄えるための蓄電池１６と、給電されている電力がどの識別子を持った発電装置からの給電なのかを識別し、蓄電池の電力残量を管理する電力量管理部１７と、電力量管理部で管理されている蓄電池の電力残量を表示する表示部１８とを有する。
【００２２】
（接続例）
図２は、本例の発電方法識別システムに係るポータブルデバイス１と発電装置２との接続状態の例を示す図である。本例の発電装置２は、太陽光パネルの機能によって発電する装置である。本例のポータブルデバイス１は、携帯電話機である。発電装置２に接続されているケーブル３１の先端のコネクタ３２を、ポータブルデバイス１に接続すると、上述した電源端子１１と電源端子２２とが電気的に接続される。これにより、発電装置２からポータブルデバイス１に給電される。
【００２３】
また、コネクタ３２を、ポータブルデバイス１に接続すると、上述した制御信号端子１２と制御信号端子２５とが電気的に接続される。これにより、発電装置２からポータブルデバイス１への給電の際に、発電方法識別子が発電装置２からポータブルデバイス１へ送信される。発電方法識別子は、ポータブルデバイス１の使用者に、発電方法を認識させることを目的として、ポータブルデバイス１に送信される。このように発電方法識別子を送受信し合うことで、ポータブルデバイス１は、発電装置２の発電方法がＣＯ2の排出を行わないクリーンな発電方法であることを識別することが可能である。
【００２４】
（発電方法識別子）
発電装置の発電方法識別子の内容は、発電装置の発電方法によって、異なるものである。例えば、太陽光発電は識別子「１」、風力発電は識別子「２」、手回し発電は識別子「３」などが発電装置の発電方法識別子記憶部に記憶されている。例えば、図２のように、ポータブルデバイス１に太陽光によって発電する発電装置２が接続され、給電が行われている場合、発電装置２の発電方法識別子記憶部には、発電方法識別子「１」が記憶されている。コネクタ３２によって、ポータブルデバイス１と発電装置２とが接続されると、最初に、発電方法識別子「１」が、発電装置２からポータブルデバイス１へと送信される。この発電方法識別子を受信したポータブルデバイス１では、発電方法識別子が発電方法識別子識別部にて識別される。識別子が識別されることで、ポータブルデバイス１は、接続されている発電装置２が識別子「１」の発電装置、すなわち太陽光による発電装置であることを認識する。
【００２５】
（電源コンセントとの接続）
次に、発電方法識別子を持たない機器から給電を受ける場合について説明する。
図３は、電源コンセントから発電方法識別子を持たないＡＣアダプタを介してポータブルデバイスに給電が行われる場合について示した図である。
電源コンセント３は、接続されている機器に商用電源を供給する端子である。ＡＣアダプタ４は、電源コンセント３に電気的に接続される電源プラグ４１と、交流電圧を直流電圧に変換するためのＡＣ／ＤＣ変換器４２と、ＡＣ／ＤＣ変換器４２による変換後の直流電圧を外部機器に供給する電源端子４３とを有している。
【００２６】
このＡＣアダプタ４は、上述した発電方法識別子を持っていない。このため、電源コンセント３から発電方法識別子を持たないＡＣアダプタ４を介してポータブルデバイス１に給電が行われる際は、ポータブルデバイス１は、どのような装置から給電されているのかを認識することができない。
この場合において、どのような装置から給電されているのかを認識するには、以下のようにすればよい。すなわち、まず、ＡＣアダプタ４に、発電方法識別子を記憶している発電方法識別子記憶部と、発電方法識別子を送受信する発電方法識別子送受信部とを設ける。そして、発電方法識別子記憶部に例えば発電方法識別子「０」が記憶されており、かつ、識別子「０」が商用電源からの給電を示すようにする。このようにすれば、識別子を持つＡＣアダプタ４とポータブルデバイスとを接続した場合、ポータブルデバイス１は、商用電源から給電されていることを認識することができる。
【００２７】
上記のように、ポータブルデバイス１は、接続された装置の発電方法識別子を識別することで、給電されている際に接続されている装置が、どのような発電方法の発電装置なのかを識別することが可能である。
ところで、発電装置とポータブルデバイスとの電力のやり取り及び発電方法識別子の送受信については、有線での送受信、無線での送受信を問わない。
【００２８】
また、発電装置とポータブルデバイスとの発電方法識別子のやりとりについては、例えば、周知のＵＳＢ（Universal Serial Bus）の規格などを利用しても良い。即ち、発電装置のＵＳＢデバイスディスクリプタ内のプロダクトＩＤなどに発電方法識別子にあたる発電方法を識別するＩＤが記述されており、発電装置とポータブルデバイスとの接続のネゴシエーション時に、ポータブルデバイスがデバイスディスクリプタを取得することで、ポータブルデバイスが発電方法を識別して、その後、発電装置からポータブルデバイスに給電を開始すると言った方法が考えられる。
【００２９】
（電力量管理部）
図４は、ポータブルデバイス１内の電力量管理部１７における電力管理の概要を示す図である。ここでは、ポータブルデバイス１内の蓄電池１６の端子間電圧で電池の残量を計測する場合を示す。
ポータブルデバイス１に給電される前の蓄電池１６の電池残量が全容量の５０％で、かつ、５０％すべてが商用電源からの給電であった場合、蓄電池の端子間電圧は、Ｖ0を示している（図４の状態Ｓ１）。この状態Ｓ１から、太陽光による発電装置によりポータブルデバイス１へ給電が行われ、全容量１００％の充電が完了した場合、蓄電池１６の端子間電圧は、Ｖ1を示している（図４の状態Ｓ２）。次に、ポータブルデバイス１を使用し、蓄電池１６からの放電が、ある時間行われた場合、蓄電池の端子間電圧は、Ｖ2を示している（図４の状態Ｓ３）。
【００３０】
このような場合、ポータブルデバイス１の電力量管理部１７では、「商用電源からの電力量：５０％  クリーンなエネルギー起因による電力量：０％」と言った形で電力を管理している。上記のような一連の流れで給電と放電とが行われた場合、電力量管理部１７では、以下のように蓄電池１６内の電力量が管理されている。すなわち、
状態Ｓ１：商用電源からの電力量：５０％
クリーンなエネルギー起因による電力量：０％
状態Ｓ２：商用電源からの電力量：５０％
クリーンなエネルギー起因による電力量：５０％
状態Ｓ３：商用電源からの電力量：５０％
クリーンなエネルギー起因による電力量：２５％
である。本システムでは、蓄電池１６に蓄電されている電力のうち、クリーンなエネルギーから優先的に放電を行っているかのようにユーザに提示する。こうすることによって、ポータブルデバイス１のユーザに対して、なるべくクリーンなエネルギー起因の発電装置からポータブルデバイス１への給電をユーザに促がす効果があると考えられる。
【００３１】
（表示部の表示例）
ここで、ポータブルデバイス１の表示部１８の表示例について説明する。図５に、ポータブルデバイス１の表示部１８に表示される電力残量メータを示すものである。図５の場合は、８つのセグメントによって電力残量を示している。そして、ここでは、商用電力などクリーンなエネルギー起因ではない電力を黒塗り、太陽光発電などのクリーンなエネルギー起因の電力をハッチングで示している。
【００３２】
図４と同様の状態遷移があった場合の電力残量メータの表示動作は、図５に示すとおりである。すなわち、状態Ｓ１の場合、図５（Ｓ１）のように、商用電源によって充電され、８つのセグメントのうち、４つが黒塗り表示されることによって、電力残量が５０％であることを示す。また、状態Ｓ２の場合、図５（Ｓ２）のように、太陽光発電などによってさらに５０％充電され、電力残量が１００％であることを示す。
【００３３】
そして、状態Ｓ３の場合、図５（Ｓ３）のように、電力が消費され、８つのセグメントのうち、４つが黒塗りで表示される。また、８つのセグメントのうち、２つがハッチングで表示（以下、ハッチング表示と呼ぶ）される。状態Ｓ２から状態Ｓ３への遷移を考えると、ハッチング表示されていた４つのセグメントのうち、２つのセグメントのハッチング表示が消えている。つまり、電力量のハッチング表示が先に消えるように（先に減少するように）制御が行われる。これにより、ポータブルデバイス１の使用により放電された電力については、ユーザには、クリーンなエネルギー起因の電力が優先的に消費されたようにみえることになる。なお、電力量管理部１７において、図４を参照して説明したように蓄電池１６内の電力量が管理されているので、その管理内容に基づいて、図５のように表示することができる。
【００３４】
（電力残量の提示）
図５の場合は、電力残量をユーザに提示する手段として電池残量メータを表示する方法を採用している。しかしながら、この方法に限定されず、ほかの方法によって、電力残量をユーザに提示してもよい。
例えば、図６Ａに示すように、音声で出力してもよい。この例では、「クリーンエネルギーは５０％、それ以外のエネルギーは３０％です」という内容の音声が携帯電話機のスピーカから出力される。
【００３５】
また、図６Ｂに示すように、円グラフで表示してもよい。この例では、クリーンエネルギー５１が「５０％」で、それ以外のエネルギー５２が「３０％」になっている円グラフが、携帯電話機の画面に表示される。
さらに、図６Ｃに示すように、数字で表示してもよい。この例では、全体の電力残量として「電力残量：８０％」、その内訳として「クリーン：５０％」、「それ以外：３０％」、という数字が携帯電話機の画面に表示される。
これら図６Ａ、図６Ｂ、図６Ｃのいずれの場合でも、電力残量をユーザに提示することができる。しかも、電力残量を単に提示するのではなく、クリーンなエネルギー起因の電力とそれ以外の電力との内訳を提示することができる。これにより、ユーザのエコ意識の醸成に繋がると考えられる。
【００３６】
（第二の実施形態）
第二の実施形態は、発電装置が蓄電池を持つ場合である。以下、本実施形態による発電方法識別システムについて、図面を用いて詳細に説明する。
（発電方法識別システムの構成）
太陽光発電装置などの発電装置が、内部に蓄電池を持ち、その発電装置内の蓄電池に対して、太陽光発電からの給電と、ＡＣコンセントからの商用電源などからの給電とが可能な場合がある。この場合、発電装置内に蓄えられた電力が、太陽光発電による電力（つまり、クリーンなエネルギー起因の電力）なのか、商用電源などからの給電による電力（つまり、クリーンでないエネルギー起因の電力）なのかを識別しなければ、ポータブルデバイスに給電される電力が、すべて太陽光発電による電力と認識されてしまう可能性がある。この課題を解決するため、本実施形態では発電装置を図７に示すような構成にする。
【００３７】
図７は、本発明の第二の実施形態に係る発電方法識別システムの構成例を示す図である。同図を参照すると、本例の発電方法識別システムは、携帯電話機などのポータブルデバイス１と、このポータブルデバイス１に電力を供給する発電装置２ａと、から構成されている。
発電装置２ａは、図１の発電装置２の構成に、蓄電池２６と、蓄電池２６に蓄えられた電力量を管理する電力量管理部２７と、他の発電方法識別子を持つ発電装置から給電された場合の発電方法識別子を識別する発電方法識別子識別部２８とが追加された構成になっている。つまり、本実施形態においては、発電方法識別子は、発電装置内の蓄電池に蓄えられている電力量を発電方法別に識別可能な識別子である。なお、ポータブルデバイス１は、第一の実施形態の場合の構成と同様の構成をとる。
【００３８】
図８は、蓄電池２６を有する発電装置２ａに、ＡＣアダプタ４などを介して商用の電源コンセント３より給電が行われる例について示す。蓄電池２６を有する発電装置の場合、蓄電池に蓄えられている電力は、自らの発電部２１により得られた電力である可能性と、商用電源の電源コンセント３から給電された電力である可能性とがある。この２つの電力を識別するために、発電装置２ａ内の電力量管理部２７にて、発電装置２ａ内の発電部２１から供給された電力なのか、商用電源や、発電方法識別子を有する手回し発電装置など他の発電装置からの電力なのか、管理を行う。この電力管理は、発電装置内の発電方法識別子に基づいて行われる。
【００３９】
（発電方法識別子に記述される情報）
図９は、第二の実施形態において、発電方法識別子に記述される情報について示した図である。発電方法識別子には、蓄電池に蓄えられた電力が、どの発電方法によって得られたかを判断するための識別子（図９中の「０」〜「３」の数字）と、それぞれの発電方法によって得られた電力量（図９中の７００［ｍＷｈ］などの数字）とが記述されている。
【００４０】
本例では、識別子「０」が商用電源、識別子「１」が太陽光発電、識別子「２」が風力発電、識別子「３」が手回し発電、である。外部の発電装置によって蓄電池に電力が蓄えられた場合、その電力に対応する発電方法識別子が発電装置内に記憶されているため、電力量管理部２７において、各電力量とその発電方法とを対応付けて管理することができる。
【００４１】
図９の状態においては、識別子「０」の商用電源が「２００［ｍＷｈ］」で、識別子「１」の太陽光発電「７００［ｍＷｈ］」である。
次に、蓄電池を持つ発電装置からポータブルデバイスへ給電されている際の、ポータブルデバイスへの給電開始から給電終了までの発電方法識別子の記述内容の変化について図１０を参照して説明する。図１０は、発電装置からポータブルデバイスへ給電を行っている際における、発電方法識別子の記述内容の変化を示す図である。
【００４２】
図１０において、給電開始時点で、発電装置２ａの蓄電池には、商用電源からの給電による電力２００［ｍＷｈ］と太陽光発電による電力７００［ｍＷｈ］とが蓄えられているとする。また、ポータブルデバイス１の蓄電池には、商用電源からの給電による電力１００［ｍＷｈ］の電力が蓄えられているとする。この場合、図１０（ａ）に示すとおり、発電装置２ａの発電方法識別子に記述されている情報は、
“識別子「０」  ｜  ２００［ｍＷｈ］”
“識別子「１」  ｜  ７００［ｍＷｈ］”
であり、ポータブルデバイス１の発電方法識別子に記述されている情報は、
“識別子「０」  ｜  １００［ｍＷｈ］”
“識別子「１」  ｜  ０［ｍＷｈ］”
となる。
【００４３】
この時点から発電装置２ａからポータブルデバイス１へ５００［ｍＷｈ］分の電力が供給された後の発電方法識別子に記述されている情報は、以下のようになる。すなわち、図１０（ｂ）に示すとおり、発電装置２ａの発電方法識別子に記述されている情報は、
“識別子「０」  ｜  ２００［ｍＷｈ］”
“識別子「１」  ｜  ２００［ｍＷｈ］”
であり、ポータブルデバイス１の発電方法識別子に記述されている情報は、
“識別子「０」  ｜  １００［ｍＷｈ］”
“識別子「１」  ｜  ５００［ｍＷｈ］”
となる。
【００４４】
また、給電開始時点から８００［ｍＷｈ］分の電力が供給された後の発電方法識別子に記述されている情報は、以下のようになる。すなわち、図１０（ｃ）に示すとおり、発電装置２ａの発電方法識別子に記述されている情報は、
“識別子「０」  ｜  １００［ｍＷｈ］”
“識別子「１」  ｜  ０［ｍＷｈ］”
であり、ポータブルデバイス１の発電方法識別子に記述されている情報は、
“識別子「０」  ｜  ２００［ｍＷｈ］”
“識別子「１」  ｜  ７００［ｍＷｈ］”
となる。このとき、発電装置２ａは、識別子「１」の太陽光発電によって得られた電力７００［ｍＷｈ］すべてをポータブルデバイス１に供給したように、ユーザに提示することになる。このため、以後は、発電装置２ａからポータブルデバイス１へ、識別子「０」の商用電源によって得られた電力による給電が行われるようにユーザに提示する。
【００４５】
ここでは、識別子「１」の太陽光発電によって得られた電力から優先的にポータブルデバイスに給電されているようにユーザに提示しているが、その限りではない。発電装置２ａは、複数の識別子に対応する電力を持っている場合、識別子「１」の太陽光発電による電力を供給していると認識しているのに、ポータブルデバイス１では識別子「０」の商用電力による電力の供給を受けていると判断してしまうような認識の相違が発生する可能性がある。この問題を解決するためには、発電装置２ａとポータブルデバイス１とは、発電方法識別子を定期的に送受信し合い、発電装置２ａ、ポータブルデバイス１双方の発電方法識別子を比較し、識別子ごとの電力の総和に矛盾がないように制御すればよい。例えば、ポータブルデバイス１が発電装置２ａから、識別子およびそれに対応する電力値について、定期的に通知を受けるようにし、通知された内容と発電方法識別子記憶部１５に記憶されている内容とを比較する。このようにすれば、発電装置２ａ、ポータブルデバイス１双方において、どの識別子からの給電であるかの認識の相違が起きないようにすることができる。
【００４６】
（発電方法識別方法）
上述した発電方法識別システムにおいては、以下の発電方法識別方法が採用されている。すなわち、第一の実施形態では、外部機器に供給する電力を発電する発電ステップと、前記発電部によって発電された電力の発電方法を識別するための発電方法識別子を、前記外部機器に送信する送信ステップと、前記外部機器において、供給を受けた電力と前記発電方法識別子によって識別される発電方法とを、前記外部機器の使用者に提示する提示ステップとを含むことを特徴とする発電方法識別方法が採用されている。この方法によれば、ポータブルデバイスへ給電された電力が、クリーンなエネルギー起因の電力なのか否かを、使用者に提示することができる。
【００４７】
また、第二の実施形態では、前記発電部によって発電された電力を、他の電力と共に蓄積する蓄電池に蓄積されている電力について、その電力の発電方法を識別するための発電方法識別子と対応付けて管理する管理ステップをさらに含み、前記送信ステップにおいては、前記管理ステップにおいて管理されている発電方法識別子を、前記外部機器に送信することを特徴とする発電方法識別方法が採用されている。この方法によれば、発電装置に蓄電池が設けられている場合でも、その蓄電池に蓄積されている電力の発電方法について識別し、それを使用者に提示することができる。
【００４８】
（変形例）
上記は、発電装置、ポータブルデバイスそれぞれ蓄電池が含まれる構成について説明を行ったが、蓄電池は着脱可能であってもよい。すなわち、蓄電池が含まれない構成でユーザが購入し、後に蓄電池を購入してそれを取り付けた場合も本システムを実現することができる。本システムの構成を採用すれば、蓄電池の種類によらず発電方法を識別し、管理することが可能である。
【００４９】
また、消耗した蓄電池を取り替えるために、新規に蓄電池を購入し、発電装置または、ポータブルデバイスにそれを取り付けた場合でも本システムの構成を実現することができる。
なお、上記は、ポータブルデバイスが携帯電話機である場合について説明したが、その他のポータブルデバイス、例えばノート型ＰＣ（Personal computer）や携帯型の音楽プレーヤなどについて、本発明を適用してもよい。
【符号の説明】
【００５０】
１  ポータブルデバイス
２、２ａ  発電装置
３  電源コンセント
４  ＡＣアダプタ
１１、２２、４３  電源端子
１２、２５  制御信号端子
１３  発電方法識別子受信部
１４、２８  発電方法識別子識別部
１５、２３  発電方法識別子記憶部
１６、２６  蓄電池
１７  電力量管理部
１８  表示部
２１  発電部
２４  発電方法識別子送受信部
２７  電力量管理部
３１  ケーブル
３２  コネクタ
４１  電源プラグ
４２  ＡＣ／ＤＣ変換器
【図１】
0005350349.tif 000002
【図２】
0005350349.tif 000003
【図３】
0005350349.tif 000004
【図４】
0005350349.tif 000005
【図５】
0005350349.tif 000006
【図７】
0005350349.tif 000007
【図８】
0005350349.tif 000008
【図９】
0005350349.tif 000009
【図１０】
0005350349.tif 000010
【図６Ａ】
0005350349.tif 000011
【図６Ｂ】
0005350349.tif 000012
【図６Ｃ】
0005350349.tif 000013